(57)【特許請求の範囲】
【請求項１】
一対の端部を有する装飾加工されたコード本体と、このコード本体の各端部に設けられている係合機構とを有し、
前記コード本体には、使用者の体と接触する首あてパッドが取り付けられており、
前記首あてパッドは、トルマリンの粉末が混入された可撓性部材により成形されており、
前記係合機構は、前記コード本体の各端部を眼鏡の一対のテンプルの一方に離脱自在に係合させるように構成されている、
眼鏡用グラスコード。
【請求項２】
前記首あてパッドには、少なくとも一つのコード係止機構が形成されており、前記コード本体を前記コード係止機構に係止させることにより、当該コード本体の有効コード長を使用者の体型又は好みに合わせて調節可能に構成されている、
請求項１に記載の眼鏡用グラスコード。
【発明の詳細な説明】
【０００１】
【発明の属する技術分野】
本発明は、眼鏡のテンプルに取り付けて使用する、眼鏡用グラスコードに関する。
【０００２】
【発明の背景】
近年の健康指向の高まりに伴い、鉱石の特性を利用した健康増進のための様々な健康関連商品が販売されている。このような鉱石の中でも、トルマリンが注目されている。
トルマリンは「電気石」として知られており、結晶の構造自体に半永久的に電気を帯び続けるという特性を持っている。また、トルマリンに蓄えられた電子(マイナスイオン)は、水分に触れると水中に放電される。
マイナスイオンは、科学的物質、電気的物質または放射性物質などが原因で汚染された空気や、新建材等から室内に気化して出てくる有害物質（ホルムアルデヒド）などを浄化する特性がある。また、血液を浄化させる特性、疲労を回復させる特性、たばこの煙や不快な臭いを分解及び消臭する特性がある。
【０００３】
さらに、トルマリンは、僅かな温度や衝撃によって遠赤外線を放射するという特性を有する。
遠赤外線は、人体の細胞を温め、血行を良くし、新陳代謝を活発にして細胞を活性化する効果があり、疲労を回復させ、胃腸を活性化し、痛みや凝りを緩和させる特性がある。
【０００４】
以上のようなトルマリンの特性は、体質改善や健康維持に役立てることができる。例えば、特開平１１−２７１６９０号公報や、特開平１０−２０２５６号公報に、トルマリンの特性を利用した、テンプル用モダンや眼鏡フレームが開示されている。
眼鏡に取り付けて使用する眼鏡用グラスコードは、日常の生活で使用される眼鏡と共に、使用者の体に直接接触させて使用するものであるため、トルマリンを使用した眼鏡用グラスコードを提供することにより健康を増進できることが期待される。
本発明は、上記のようなトルマリンの特性を利用した、使用感に優れた眼鏡用グラスコードを提供することを、その課題とする。
【０００５】
【課題を解決するための手段】
本発明が提供する眼鏡用グラスコードは、一対の端部を有するコード本体と、このコード本体の各端部に設けられている係合機構とを有する。前記コード本体は、トルマリンの粉末が混入された可撓性又は伸縮性を有するコード部材により形成されているものであり、前記係合機構は、前記コード本体の各端部を眼鏡の一対のテンプルの一方に離脱自在に係合させるように構成されている。
【０００６】
トルマリンは、どのように細かく砕いてもその性質が変化せず、その１つ１つの小さな欠片が静電気を発生させるため、鉱石の塊のまま使用するよりも、粉砕して使用した方が静電気を多く発生させ、それだけ電圧も高まる。この眼鏡用グラスコードでは、トルマリン鉱石を細かく砕いた粉末が混入されたコード部材によりコード本体を形成したので、例えばコード本体を小石大のトルマリン鉱石を用いて形成する場合に比べてマイナスイオンが格段に多く発生し、上述のようなトルマリンの特性を効果的に発揮させることができる。
また、コード本体が可撓性又は伸縮性を有するコード部材により形成されているので、首にかけやすく、また、外しやすいので、使用感を高めることができる。従来、小石大のトルマリン鉱石を用いてこの種の商品を構成したものがあるが、このような商品では、首にかけた際に、鉱石の角が皮膚に当たり、鉱石が冷えているときには首が冷えてしまい、違和感や不快感を感じることがある。本発明の眼鏡用グラスコードでは、鉱石そのものを使用しないことから、このような問題は生じない。さらに、本発明の眼鏡用グラスコードでは、小石大のトルマリン鉱石を用いたものに比べて凹凸がないため、汗等の汚れを容易に除去することができ、手入れがしやすい。
【０００７】
本発明の眼鏡用グラスコードにおける前記係合機構は、例えば、略球体の中央部に貫通孔が形成された把持具を有し、前記コード本体の各々の端部付近を折り返して二重にされた折り返し部を前記把持具の前記貫通孔に貫通させることによりループが形成され、使用者が前記把持具を把持しながら前記折り返し部に沿って摺動させることにより前記ループのサイズが調節可能なものとすることができる。このようにすれば、接着剤を用いることなく、コード本体との接合が可能になる。
あるいは、その一端部が前記コード本体の端部に固着され、他端部には前記テンプルに固定させるための取付部材が形成されている係合機構を用いることもできる。このような構成の係合機構では、より確実にコード本体に接合することができ、且つ、テンプルとの接合が容易になる。
【０００８】
好ましくは、前記コード本体を、使用者の体と接触する接触部位が面状で、且つ、前記接触部位の面積が、前記コード本体の他の部位よりも大きめに成形する。例えば接触部位を、扁平に成形する。このようにすることにより、より多くのマイナスイオンを享受でき、また、皮膚の熱がより多くコードに伝わり、より多くの遠赤外線が放射されるため、トルマリンの特性を効果的に発揮させることができる。また、使用時に人目につく部分であるコード本体の他の部位を細く形成することにより、外観を損なうことがなく、トルマリンの特性を効果的に発揮させることができるようになる。
【０００９】
本発明の他の眼鏡用グラスコードは、一対の端部を有する装飾加工されたコード本体と、このコード本体の各端部に設けられている係合機構とを有する。前記コード本体には、使用者の体と接触する首あてパッドが取り付けられている。前記首あてパッドは、トルマリンの粉末が混入された可撓性部材により成形されており、前記係合機構は、前記コード本体の各端部を眼鏡の一対のテンプルの一方に離脱自在に係合させるように構成されている。
【００１０】
このような眼鏡用グラスコードによれば、コード本体にトルマリンの粉末が混入されている首あてパッドが取り付けられているため、トルマリンの特性を効果的に発揮させることができると同時に、コード本体を装飾的意図に主眼をおいて形成することにより、眼鏡用グラスコードの装飾度を高めることができる。首あてパッドは、使用者の体との接触面積が大きくなるように扁平に形成されることが好ましい。コード本体への首あてパッドの取り付けは、両者を固定するようにしてもよいし、離脱自在に取り付けるようにしてもよい。前者の場合には、例えば、環状に形成された金具を使用して両者を連結することができる。後者の場合には、例えば、ボタン又はマジックテープ（登録商標）等を用いて取り付けることができる。
【００１１】
より好ましい実施の形態では、前記首あてパッドに、少なくとも一つのコード係止機構が形成されており、前記コード本体を前記コード係止機構に係止させることにより、当該コード本体の有効コード長を使用者の体型又は好みに合わせて調節できるようにする。
このようにすれば、コード係止機構にコード本体を係止させることにより、コード本体に前記首あてパッドを取り付けることができると同時に、有効コード長を使用する者毎に調節することができる。また、有効コード長を短くした場合のコード本体の余分な部分は前記首あてパッドに収納されて隠れるため、眼鏡用グラスコードの装飾度を下げることがない。
【００１２】
【発明の実施の形態】
以下、図面を参照して、本発明の眼鏡用グラスコードの第一実施形態について説明する。
＜第一実施形態＞
図１は、本発明の第一実施形態に係る眼鏡用グラスコードを、眼鏡のテンプルに取り付けた状態を示す図であり、図２は、図１の一部拡大図である。
図１および図２に示すように、この実施形態の眼鏡用グラスコード１は、コード本体２と、係合機構３と、を有する。
係合機構３は、眼鏡用グラスコード１をテンプル７０に固定して取り付けるための取付具５と、コード本体２を、取付具５と結合させるための固着具４と、固着具４と取付具５を連結させるための連結金具６と、を有している。
【００１３】
コード本体２は、可撓性又は伸縮性を有する部材、例えば、ゴムにより形成されている。また、コード本体２の内部には、トルマリンの紛末が混入されている。混入されるトルマリンの紛末はできるだけ細かい方がよく、平均粒子径０．１［μｍ］から１００［μｍ］のものが好ましい。
固着具４は、有底筒状に形成されており、その開口部からコード本体２の一端部を収容して、接着剤により内側にコード本体２の一端部を固着している。固着具４の有底外端部には、連結金具６と連結させるための孔部１２が形成されている。
取付具５は、図３の（ａ）に示すように、可撓性又は伸縮性を有する部材、例えばゴムにより形成されたリング７と、略球状に形成され、その中央に貫通孔９が形成された把持具８と、を有している。
このリング７を貫通孔９に挿入して貫通させることによって、図３の（ｂ）に示すように、把持具８の両側には、貫通孔９からリング７が突出した部分によりループ１０及びループ１１が形成されている。
ループ１０は、眼鏡用グラスコード１をテンプル７０に取り付ける際に使用され、ループ１１は、連結金具６と連結させる際に使用される。
ループ１０及びループ１１のサイズは、使用者が、把持具８を把持しながらリング７に沿って摺動させて、それぞれのループ１０及び１１の突出量を変化させることにより調節できるようになっており、二つのループのうちの一方を、その突出量を増加させて長くすると、ループの他方は、その増加させた突出量分だけ短くなるように構成されている。
固着具４と取付具５は、環状に形成された連結金具６と孔部１２とを連結させると共に、ループ１１と連結金具６とを連結させることにより、結合されている。
【００１４】
この眼鏡用グラスコード１をテンプル７０に取り付ける際には、ループ１０にテンプル７０を貫通させて、テンプル７０の任意の位置で、使用者が、把持具８を把持しながらリングに沿ってテンプル７０側に摺動させて、ループ１０のサイズを短くすることにより、ループ１０をテンプル７０に締め付ける。
眼鏡用グラスコード１をテンプル７０から取り外す際には、使用者が、把持具８を把持しながらループ１１側に摺動させて、ループ１０の長さを長くすることにより、ループ１０を緩める。
【００１５】
なお、固着具として、固着具４のように有底外端部の孔部１２が形成されているものの代わりに、その有底外端部にフックが形成されている金具を用い、このフックと取付具５を直接連結させるようにしてもよい。この場合、前記コード本体を取付具から取り外すことができるため、コード本体をブレスレット又はネックレスとしても使用することができる。
【００１６】
＜第二実施形態＞
図４は、上記の本発明の第二実施形態を示す図である。なお、図４では、第一実施形態と同じ部材については図２と同一の符号を付してある。
【００１７】
この実施形態における眼鏡用グラスコード２１は、係合機構が、コード本体２と把持具８により構成されている。
コード本体２の両端には、コード本体２の各々の端部を折り返して二重にされた折り返し部２ａを、把持具８の貫通孔９に貫通させることによりループ２０が形成されている。
ループ２０は、眼鏡用グラスコード２１をテンプル７０に取り付ける際に使用される。
このループ２０のサイズは、使用者が、把持具８を把持しながら折り返し部２ａに沿って摺動させることにより、ループ２０の突出量を変化させて調節できるようになっている。
このように、この眼鏡用グラスコード２１は、コード本体２の一部によってテンプル７０にコード本体２を着脱する際に使用されるループ２０が形成されており、コード本体２と把持具８とは、固着されていない点で、第一実施形態と異なる。
一般的に、堅さの異なる物同士を、例えば接着剤を用いて固着すると、その固着部分は脆くなりがちである。この眼鏡用グラスコードであれば、コード本体と、係合機構とを固着することなく、眼鏡のテンプルに係合させることができるので、係合機構の近辺でコード本体が破損する可能性を減少させられる。
この眼鏡用グラスコード２１をテンプル７０に脱着する方法は、第一実施形態と同様である。
【００１８】
＜第三実施形態＞
図５は、本発明の第三実施形態を示す図である。
【００１９】
この実施形態における眼鏡用グラスコード３１は、コード本体３２の、眼鏡用グラスコード３１の使用時に使用者の体と接触する接触部位３２ａが、体との接触面積を大きくするために扁平に形成されている。
接触部位３２ａと、コード本体３２の他の部位３２ｂは、一体成形されたものであってもよいし、それぞれの部位を別個に成形して、これらを環状の金具やフック等を介して連結されるように構成してもよい。
金具等を介して連結されるように構成する場合、他の部位３２ｂは、紐にビーズを通したものや、貴金属からなるチェーンのように、装飾的意図に主眼をおいて構成されたものを用いてもよい。
【００２０】
＜第四実施形態＞
図６は、本発明の第四実施形態を示す図である。
この実施形態における眼鏡用グラスコード４１は、コード本体４２に、首あてパッド４３を着脱自在に取り付けられるように構成されている。
首あてパッド４３は、トルマリンの粉末が混入された可撓性を有する部材からなり、使用者の体との接触面積を大きくするために、扁平に形成されている。また、コード本体４２を通して保持させるための保持部４４が設けられている。
コード本体４２は、トルマリンの粉末が混入された可撓性を有する部材により形成されているものであってもよいし、紐にビーズを通したものや貴金属からなるチェーンのように、装飾的意図に主眼をおいて構成されているものであってもよい。
首あてパッド４３をコード本体４２に取り付ける場合には、コード本体４２を保持部４４に通す。
【００２１】
＜第五実施形態＞
図７は、本発明の第五実施形態を示す図である。なお、図７では、第四実施形態と同じ部材については、図６と同一の符号を付してある。
【００２２】
この実施形態における眼鏡用グラスコード５１は、コード本体４２に、首あてパッド５３を着脱自在に取り付けられるように構成されている。また、首あてパッド５３に設けられた係止部５４が、コード本体４２をひっかけて係止させるように構成されている。
首あてパッド５３は、トルマリンの粉末が混入された可撓性を有する部材からなり、使用者の体との接触面積を大きくするために、扁平に形成されている。
係止部５４は、首あてパッド５３に切り込みを入れることにより形成されている。
首あてパッド５３をコード本体４２に取り付ける場合には、コード本体４２を止部５４に係止させる。なお、使用者が、コード本体４２の長さを短くしたい場合には、コード本体４２を係止させる係止部５４の数を増やせばよい。
【００２３】
首あてパッド５３に、切り込みの代わりに、穴を形成し、この穴にコード本体４２を通すようにしてもよい。穴を形成する場合、穴は、前記コード本体を通る径であればよい。
また、個々の穴に切り込みを形成しておき、コード本体４２を穴の切り込みに挟み込むようにしてもよい。
【００２４】
＜第六実施形態＞
図８は、本発明の第六実施形態を示す図である。なお、図８では、図４と同様に、第一実施形態と同じ部材については図２と同一の符号を付してある。
【００２５】
この実施形態における眼鏡用グラスコード６１は、第一実施形態の眼鏡用グラスコードのコード本体２に把持具８を取り付けて、コード本体２の有効長を調節可能に構成されている。
この眼鏡用グラスコード６１は、コード本体２を折り返して二重にし、把持具８の貫通孔９に貫通させることにより、ループ６０が形成されている。
このループ６０の長さは、第二実施形態と同様に、使用者が、把持具８を把持しながらコード本体２に沿って摺動させて、ループ６０の突出量を変化させることにより調節できるようになっており、ループ６０を長くすると、コード本体２が短くなり、ループ６０を短くすると、コード本体２が長くなるようになっている。
【００２６】
【発明の効果】
以上詳細に説明したように、本発明によれば、トルマリンの有する特性を利用した、使用感に優れた眼鏡用グラスコードを提供することができる。
【図面の簡単な説明】
【図１】本発明の第一実施形態の眼鏡用グラスコードを、眼鏡のテンプルに取り付けた状態を示す図である。
【図２】図１の、一部拡大図である。
【図３】図３ａは、リング７を把持具８に取り付ける前の状態を示す図である。図３ｂは、リング７を把持具８に取り付けた状態を示す図である。
【図４】本発明の第二実施形態を示す図である。
【図５】本発明の第三実施形態を示す図である。
【図６】本発明の第四実施形態を示す図である。
【図７】本発明の第五実施形態を示す図である。
【図８】本発明の第六実施形態を示す図である。
【符号の説明】
１，２１，３１，４１，５１，６１  眼鏡用グラスコード
２，３２，４２  コード本体
２ａ  折り返し部
３  係合機構
４  固着具
５  取付具
６  連結金具
７  リング
８  把持具
９  貫通孔
１０，１１，２０，６０  ループ
１２  孔部
３２ａ  接触部位
３２ｂ  他の部位
４３，５３  首あてパッド
４４  保持部
５４  係止部
７０  テンプル
【図１】
0003983602.tif 000002
【図２】
0003983602.tif 000003
【図３】
0003983602.tif 000004
【図４】
0003983602.tif 000005
【図５】
0003983602.tif 000006
【図６】
0003983602.tif 000007
【図７】
0003983602.tif 000008
【図８】
0003983602.tif 000009